(57)【要約】  本発明の目的は、合成繊維を製造する際に用いられ、ハンドリング性に優れ、走行安定性にも優れる合成繊維用処理剤を提供することである。  本発明の合成繊維用処理剤は、グリセリンと炭素数８〜２２の直鎖脂肪酸とがエステル結合した構造を有し、かつ該直鎖脂肪酸全体に占める炭素数１６〜１８の直鎖脂肪酸の割合が９０重量％以上である、グリセリンエステル化合物（Ａ）と、アルコールと炭素数８〜２０の脂肪酸とがエステル結合した構造を有し、かつ該アルコールと該脂肪酸のうち少なくとも一方が炭素骨格に分岐構造を有する、分岐エステル化合物（Ｂ）とを含有し、該グリセリンエステル化合物（Ａ）と該分岐エステル化合物（Ｂ）との重量比（Ａ／Ｂ）が７５／２５〜１５／８５である。【特許請求の範囲】
【請求項１】
グリセリンと炭素数８〜２２の直鎖脂肪酸とがエステル結合した構造を有し、かつ該直鎖脂肪酸全体に占める炭素数１６〜１８の直鎖脂肪酸の割合が９０重量％以上である、グリセリンエステル化合物（Ａ）と、
アルコールと炭素数８〜２０の脂肪酸とがエステル結合した構造を有し、かつ該アルコールと該脂肪酸のうち少なくとも一方が炭素骨格に分岐構造を有する、分岐エステル化合物（Ｂ）とを含有し、
該グリセリンエステル化合物（Ａ）と該分岐エステル化合物（Ｂ）との重量比（Ａ／Ｂ）が７５／２５〜１５／８５である、合成繊維用処理剤。
【請求項２】
前記分岐エステル化合物（Ｂ）が、直鎖アルコールと炭素数８〜２０の分岐脂肪酸とがエステル結合した構造を有するエステル化合物、分岐アルコールと炭素数８〜２０の直鎖脂肪酸とがエステル結合した構造を有するエステル化合物、及び分岐アルコールと炭素数８〜２０の分岐脂肪酸とがエステル結合した構造を有するエステル化合物より選ばれる少なくとも１種である、請求項１に記載の合成繊維用処理剤。
【請求項３】
処理剤の不揮発分に占める前記グリセリンエステル化合物（Ａ）と前記分岐エステル化合物（Ｂ）の合計の重量割合が３０〜８０重量％である、請求項１又は２に記載の合成繊維用処理剤。
【請求項４】
前記グリセリンエステル化合物（Ａ）のヨウ素価が３０〜８０である、請求項１〜３のいずれかに記載の合成繊維用処理剤。
【請求項５】
前記グリセリンエステル化合物（Ａ）の融点が−５℃以上である、請求項１〜４のいずれかに記載の合成繊維用処理剤。
【請求項６】
前記グリセリンエステル化合物（Ａ）が、天然エステル又は天然エステルより得られるエステルであって、エステル交換していない化合物である、請求項１〜５のいずれかに記載の合成繊維用処理剤。
【請求項７】
ノニオン界面活性剤をさらに含有する、請求項１〜６のいずれかに記載の合成繊維用処理剤。
【請求項８】
処理剤の不揮発分に占める前記ノニオン界面活性剤の重量割合が１５〜６５重量％である、請求項７に記載の合成繊維用処理剤。
【請求項９】
原料合成繊維フィラメント糸条に、請求項１〜８のいずれかに記載の処理剤を付与する工程を含む、合成繊維フィラメント糸条の製造方法。
【請求項１０】
請求項９に記載の製造方法で得られた合成繊維フィラメント糸条を含む、繊維構造物。
【発明の詳細な説明】
【技術分野】
【０００１】
本発明は、合成繊維用処理剤及びその利用に関するものである。更に詳しくは、合成繊維を製造する際に用いられる合成繊維用処理剤、該処理剤を用いた合成繊維フィラメント糸条の製造方法、及び該合成繊維フィラメント糸条を含む繊維構造物に関するものである。
【背景技術】
【０００２】
グリセリンと直鎖脂肪酸とのエステルといった天然油脂より得られるエステル（以下天然エステルということがある）は、入手のし易さ、環境への対応、安価であるという利点から、潤滑剤として有用である。融点の高い天然エステルを潤滑剤として含む合成繊維用処理剤は、耐熱性に優れるが、天然エステルの融点の影響を受け、処理剤の融点が高くなる場合が多く、冬季保管により凝固する。凝固した処理剤は、そのままでは使用できないため、一度加温して溶解させる必要があり、場合によっては（特に冬季）４０℃以上に加温する必要があった。そのため、ハンドリング性に劣るという問題があった。また、このような合成繊維用処理剤を用いた場合、加工工程でスカムや糸切れを引き起こし、そのため走行安定性に劣り、布帛の品位を低下させる場合があった。【０００３】
天然油脂を用いた合成繊維用処理剤として、例えば特許文献１には、タールや毛羽の発生を抑えるべく、２種以上の動植物油脂をエステル交換して用いる方法が記載されている。しかし、この方法ではエステル交換する必要があるため、エステルの入手が困難になる場合があった。
このように、従来の合成繊維用処理剤では天然油脂から得られるエステルを積極的に用いた合成繊維用処理剤は提供されていないのが現状である。
【先行技術文献】
【特許文献】
【０００４】
【特許文献１】特開２００９−１５５７６２号公報
【発明の概要】
【発明が解決しようとする課題】
【０００５】
本発明の目的は、合成繊維を製造する際に用いられ、ハンドリング性に優れ、走行安定性にも優れる合成繊維用処理剤、該処理剤を用いた合成繊維フィラメント糸条の製造方法、該製造方法で得られた合成繊維フィラメント糸条を含む繊維構造物を提供することである。
【課題を解決するための手段】
【０００６】
本発明者らは、鋭意検討をした結果、特定のグリセリンエステル化合物（Ａ）と特定の分岐エステル化合物（Ｂ）を特定の割合で含有する合成繊維用処理剤であれば、後加工でのスカムを低減できることを見出した。また、スカム減少と、処理剤を低温の状態に静置した後に室温で液状に復元するまでの時間に相関があることを見出し、本発明に到達した。【０００７】
すなわち、本発明の合成繊維用処理剤は、グリセリンと炭素数８〜２２の直鎖脂肪酸とがエステル結合した構造を有し、かつ該直鎖脂肪酸全体に占める炭素数１６〜１８の直鎖脂肪酸の割合が９０重量％以上である、グリセリンエステル化合物（Ａ）と、アルコールと炭素数８〜２０の脂肪酸とがエステル結合した構造を有し、かつ該アルコールと該脂肪酸のうち少なくとも一方が炭素骨格に分岐構造を有する、分岐エステル化合物（Ｂ）とを含有し、該グリセリンエステル化合物（Ａ）と該分岐エステル化合物（Ｂ）との重量比（Ａ／Ｂ）が７５／２５〜１５／８５である、処理剤である。【０００８】
前記分岐エステル化合物（Ｂ）は、直鎖アルコールと炭素数８〜２０の分岐脂肪酸とがエステル結合した構造を有するエステル化合物、分岐アルコールと炭素数８〜２０の直鎖脂肪酸とがエステル結合した構造を有するエステル化合物、及び分岐アルコールと炭素数８〜２０の分岐脂肪酸とがエステル結合した構造を有するエステル化合物より選ばれる少なくとも１種であることが好ましい。【０００９】
処理剤の不揮発分に占める前記グリセリンエステル化合物（Ａ）と前記分岐エステル化合物（Ｂ）の合計の重量割合は、３０〜８０重量％であることが好ましい。【００１０】
前記グリセリンエステル化合物（Ａ）のヨウ素価が３０〜８０であるであることが好ましい。【００１１】
前記グリセリンエステル化合物（Ａ）の融点は、−５℃以上であることが好ましい。
また、前記グリセリンエステル化合物（Ａ）が、天然エステル又は天然エステルより得られるエステルであって、エステル交換していない化合物であることが好ましい。【００１２】
本発明の合成繊維用処理剤ノニオン界面活性剤をさらに含有することが好ましい。
処理剤の不揮発分に占める前記ノニオン界面活性剤の重量割合は１５〜６５重量％であることが好ましい。【００１３】
本発明の合成繊維フィラメント糸条の製造方法は、原料合成繊維フィラメント糸条に、上記の処理剤を付与する工程を含むものである。
本発明の繊維構造物は、上記の製造方法で得られた合成繊維フィラメント糸条を含むものである。
【発明の効果】
【００１４】
本発明の合成繊維用処理剤は、室温（２０℃）静置で溶解し液状となるため、ハンドリング性に優れる。本発明の合成繊維用処理剤を用いた場合、スカムや糸切れの発生を抑制でき、走行安定性に優れる。
本発明の製造方法によれば、スカムや糸切れの発生を低減することができ、糸品位に優れた合成繊維フィラメント糸条を得ることができる。本発明の繊維構造物は、品質に優れる。
【発明を実施するための形態】
【００１５】
本発明の合成繊維用処理剤は、合成繊維を製造する際に用いられ、特定のグリセリンエステル化合物（Ａ）と特定の分岐エステル化合物（Ｂ）を所定の割合で含有するものである。以下、詳細に説明する。
【００１６】
[グリセリンエステル化合物（Ａ）]
グリセリンエステル化合物（Ａ）は、グリセリンと炭素数８〜２２の直鎖脂肪酸とがエステル結合した構造を有し、かつ当該直鎖脂肪酸全体に占める炭素数１６〜１８の直鎖脂肪酸の割合が９０重量％以上である、エステルである。グリセリンエステル化合物（Ａ）は、１種又は２種以上を使用してもよい。グリセリンエステル化合物（Ａ）は、天然エステル又は天然エステルより得られるエステル化合物を想定していることから、エステルを構成する脂肪酸は、直鎖脂肪酸となる。また、直鎖脂肪酸は、単一の脂肪酸で構成されることはなく、炭素数８〜２２であって２つ以上の脂肪酸によって構成される。
【００１７】
本発明で使用するグリセリンエステル化合物（Ａ）は、天然エステル又は天然エステルから得られるエステルであって、エステル交換していない化合物を想定している。グリセリンエステル化合物（Ａ）としては、天然の果実、種子又は花など天然より得られる天然エステルをそのまま用いたり、必要に応じて天然エステルを分離、精製等して得られるエステル化合物を用いたりすることができる。従って、グリセリンエステル化合物（Ａ）としては、脂肪酸とグリセリンとを反応させて得られる合成エステルや、２種以上の天然エステル（油脂）をエステル交換して得られたエステルや、天然エステルと脂肪酸とグリセリンとを混合し、ランダムにエステル交換して得られるエステルを除くものを想定している。
【００１８】
グリセリンエステル化合物（Ａ）を構成する直鎖脂肪酸は、炭素骨格が直鎖構造である脂肪族モノカルボン酸をいう。直鎖脂肪酸には、ヒドロキシ脂肪酸も含まれてもよいが、ヒドロキシ脂肪酸が含まれると該処理剤の平滑剤としての役割が不足することから、ヒドロキシ脂肪酸は含まれないことが好ましい。直鎖脂肪酸は、飽和、不飽和のいずれであってもよい。
【００１９】
直鎖脂肪酸の炭素数は、８〜２２であり、１２〜１８が好ましく、１６〜１８がさらに好ましい。該炭素数が８未満の場合、油膜が弱くなり毛羽が発生する場合がある。一方、該炭素数が２２超の場合、摩擦が高く、平滑性が劣り毛羽が発生する場合がある。
【００２０】
炭素数８〜２２の直鎖脂肪酸としては、例えば、カプリル酸、カプリン酸、ラウリン酸、ミリスチン酸、パルミチン酸、パルミトレイン酸、ステアリン酸、オレイン酸、エライジン酸、リノール酸、リノレン酸、エイコセン酸、ベヘン酸、セトレイン酸、エルカ酸、リシノール酸等が挙げられる。これらの中でも、直鎖脂肪酸としては、ミリスチン酸、パルミチン酸、パルミトレイン酸、ステアリン酸、オレイン酸、リノール酸が好ましく、パルミチン酸、パルミトレイン酸、ステアリン酸、オレイン酸、リノール酸がさらに好ましい。
【００２１】
油膜強度と平滑性の点から、直鎖脂肪酸全体に占める炭素数１６〜１８の直鎖脂肪酸の割合は、９０重量％以上であり、９３重量％以上が好ましく、９５重量％以上がさらに好ましい。
また、直鎖脂肪酸全体に占めるリノレン酸の重量割合は、２重量％以下が好ましく、１重量％以下がより好ましく、０．５重量％以下がさらに好ましい。該重量割合が２重量％超の場合、処理剤の耐熱性が悪化し、ローラー汚れが発生し、その結果、毛羽、断糸が発生するおそれがある。
なお、各脂肪酸の重量割合は、ガスクロマトグラフィー（ＳＨＩＭＡＤＺＵ社製ガスクロマトグラフィーＧＣ−２０１０、カラム：Ａｇｉｌｅｎｔ  Ｔｅｃｈｎｏｌｏｇｉｅｓ社製のＤＢ−ＷＡＸＥＴＲ）を用いて、定量することができる。
【００２２】
本発明の効果をより発揮させる点から、グリセリンエステル化合物（Ａ）の融点は、−５℃以上が好ましく、−５〜１５℃が好ましく、−５〜１０℃がさらに好ましい。該融点が−５℃未満の場合、分岐エステル化合物（Ｂ）の併用の必要がない場合がある。なお、本発明でいう融点とは、示差走査熱量計（ＤＳＣ）を用い、試料を５０℃まで昇温し１分間等温し、次に１０℃／分で−６０℃まで冷却し８分間等温して固化し、その後１０℃／分で５０℃まで昇温した時に得られるＤＳＣ曲線の吸熱ピークのうち、最も吸熱が大きいピークの温度をいう。
【００２３】
グリセリンエステル化合物（Ａ）のヨウ素価は、３０〜８０であり、３５〜７５がより好ましく、４０〜７５がさらに好ましい。該ヨウ素価が３０未満の場合、グリセリンエステル化合物（Ａ）の融点が低く、分岐エステル化合物（Ｂ）を使用しても、室温で液状に復元しない場合があり、本発明の効果が得られにくい。一方、該ヨウ素価が８０超の場合、耐熱性が悪化し、その結果、毛羽、断糸も悪化する場合がある。なお、本発明でのヨウ素価は、ＪＩＳ  Ｋ−００７０に基づき測定した値をいう。
【００２４】
グリセリンエステル化合物（Ａ）の酸価は、７以下が好ましく、５以下がより好ましく、３以下がさらに好ましい。該酸価が７超の場合、熱処理時に多量の発煙が発生したり、臭気が発生したりして、使用環境を悪化する場合がある。なお、本発明での酸価は、ＪＩＳ  Ｋ−００７０に基づき測定した値をいう。
【００２５】
グリセリンエステル化合物（Ａ）の水酸基価は、０．１〜２５が好ましく、０．５〜２０がより好ましく、１．０〜１５がさらに好ましい。該水酸基価が０．１未満の場合、エステルを得るのは困難な場合がある。一方、該水酸基価が２５超の場合、該処理剤の平滑剤としての役割が不足し、毛羽が増加する場合がある。なお、本発明での水酸基価は、ＪＩＳ  Ｋ−００７０に基づき測定した値をいう。
【００２６】
グリセリンエステル化合物（Ａ）の重量平均分子量は、５００〜１２００が好ましく、６００〜１０００がより好ましく、７００〜１０００がさらに好ましい。該重量平均分子量が５００未満の場合、油膜強度が不足し、毛羽が増加したり、熱処理時の発煙が増加したりする場合がある。一方、該重量平均分子量が１２００超の場合、平滑性が不足して毛羽が多発し、高品位の繊維が得られないだけでなく、製織や編み工程での品位が劣る場合がある。なお、本発明における重量平均分子量は、東ソー（株）製高速ゲルパーミエーションクロマトグラフィー装置ＨＬＣ−８２２０ＧＰＣを用い、試料濃度３ｍｇ／ｃｃで、昭和電工（株）製分離カラムＫＦ−４０２ＨＱ、ＫＦ−４０３ＨＱに注入し、示差屈折率検出器で測定されたピークより算出した。
【００２７】
グリセリンエステル化合物（Ａ）は、天然の果実、種子又は花など天然より得られる天然エステルを公知の方法で精製したり、更に精製したエステルを公知の方法で融点差を利用して分離、再精製をしたりして得ることができる。天然エステルとしては、あまに油、ひまわり油、大豆油、菜種油、胡麻油、オリーブ油、パーム核油、パーム油、ヤシ油等が挙げられる。これらの中でも、目的のグリセリンエステル化合物を収率良く得るためには、オリーブ油、パーム油が好ましく、パーム油がさらに好ましい。
【００２８】
[分岐エステル化合物（Ｂ）]
分岐エステル化合物（Ｂ）は、アルコールと炭素数８〜２０の脂肪酸とがエステル結合した構造を有し、該アルコールと該脂肪酸のうち少なくとも一方が炭素骨格に分岐構造を有するエステル化合物である。上記のグリセリンエステル化合物（Ａ）を潤滑剤として単独で用いると、ハンドリング性に劣り、加工工程でスカムや糸切れを引き起こすことがあったが、グリセリンエステル化合物（Ａ）と分岐エステル化合物（Ｂ）とを特定の割合で併用することにより、処理剤を４０℃以上に加温する必要がなく、室温（２０℃）に静置することで溶解させることができる。そのため、ハンドリング性に優れる。また、加温の必要がないため経済的である。さらに、本発明の処理剤は、凝固し難い又は凝固しないことにより、スカムや糸切れの発生を抑制することができる。そのため、高品位な布帛を生産するのに適している。
【００２９】
分岐エステル化合物（Ｂ）は、詳細には、直鎖アルコールと炭素数８〜２０の分岐脂肪酸とがエステル結合した構造を有するエステル化合物（Ｂ１）、分岐アルコールと炭素数８〜２０の直鎖脂肪酸とがエステル結合した構造を有するエステル化合物（Ｂ２）、及び分岐アルコールと炭素数８〜２０の分岐脂肪酸とがエステル結合した構造を有するエステル化合物（Ｂ３）より選ばれる少なくとも１種と表現することができる。分岐エステル化合物（Ｂ）は、１種又は２種以上を使用してもよい。
【００３０】
エステル化合物（Ｂ１）を構成する直鎖アルコールは、炭素骨格が直鎖構造である、一価アルコール及び／又は多価アルコールをいう。直鎖アルコールは、１種で構成されていてもよく、２種以上で構成されていてもよい。直鎖アルコールは、分子量が大きくなりすぎると平滑性が悪化することから、四価以下の直鎖アルコールが好ましい。直鎖アルコールは飽和、不飽和のいずれでもあってもよい。
【００３１】
一価アルコールの場合、直鎖アルコールの炭素数は４〜３０が好ましく、６〜２４がより好ましく、８〜２４がさらに好ましい。多価アルコールの場合、直鎖アルコールの炭素数は２〜１０が好ましく、２〜８がより好ましく、２〜６がさらに好ましい。
【００３２】
直鎖アルコールとしては、例えば、エタノール、プロパノール、ブタノール、オクタノール、ノナノール、デカノール、ウンデカノール、ドデカノール、トリデカノール、オレイルアルコール、エチレングリコール、ジエチレングリコール、プロピレングリコール、ジプロピレングリコール、グリセリン、１，４−ブタンジオール、１，６−ヘキサンジオール等が挙げられる。これらの中でも、オクタノール、デカノール、ドデカノール、オレイルアルコール、エチレングリコール、ジエチレングリコール、プロピレングリコール、ジプロピレングリコール、グリセリン、１，４−ブタンジオール、１，６−ヘキサンジオールが好ましく、オクタノール、デカノール、ドデカノール、グリセリン、１，６−ヘキサンジオールがさらに好ましい。
【００３３】
エステル化合物（Ｂ２）、エステル化合物（Ｂ３）を構成する分岐アルコールは、炭素骨格に分岐構造を有する、一価アルコール及び／又は多価アルコールをいう。分岐アルコールは、１種で構成されていてもよく、２種以上で構成されていてもよい。分岐アルコールは、分子量が大きくなりすぎると平滑性が悪化することから、四価以下の分岐アルコールが好ましい。分岐アルコールは、脂肪族分岐アルコールであり、飽和、不飽和のいずれでもあってもよい。
【００３４】
一価アルコールの場合、分岐アルコールの炭素数は４〜３０が好ましく、６〜２４がより好ましく、８〜２４がさらに好ましい。多価アルコールの場合、分岐アルコールの炭素数は２〜１０が好ましく、２〜８がより好ましく、２〜６がさらに好ましい。
【００３５】
分岐アルコールとしては、例えば、イソプロパノール、２−エチルヘキサノール、イソトリデシルアルコール、イソセチルアルコール、イソステアリルアルコール、イソＣ２４アルコール、２−メチル−１，３−プロパンジオール、トリメチロールプロパン、ペンタエリスリトール等が挙げられる。これらの中でも、２−エチルヘキサノール、イソトリデシルアルコール、イソセチルアルコール、イソステアリルアルコール、イソＣ２４アルコール、２−メチル−１，３−プロパンジオール、トリメチロールプロパン、ペンタエリスリトールが好ましく、２―エチルヘキサノール、イソトリデシルアルコール、イソＣ２４アルコール、トリメチロールプロパン、ペンタエリスリトールがさらに好ましい。
【００３６】
エステル化合物（Ｂ２）を構成する直鎖脂肪酸は、炭素骨格が直鎖構造である脂肪族モノカルボン酸をいう。直鎖脂肪酸には、ヒドロキシ脂肪酸も含まれてもいいが、ヒドロキシ脂肪酸が含まれると該処理剤の平滑剤としての役割が不足することから、ヒドロキシ脂肪酸が含まれないことが好ましい。直鎖脂肪酸は、飽和、不飽和のいずれであってもよい。また、直鎖脂肪酸は、１種で構成されていてもよく、２種以上で構成されていてもよい。
【００３７】
直鎖脂肪酸の炭素数は、８〜２０であり、１０〜２０が好ましく、１２〜１８がさらに好ましい。該炭素数が８未満の場合、油膜が弱くなり毛羽が発生する場合がある。一方、該炭素数が２０超の場合、摩擦が高く、平滑性が劣り毛羽が発生する場合がある。
【００３８】
炭素数８〜２０の直鎖脂肪酸としては、例えば、オクチル酸、カプリン酸、ラウリン酸、ミリスチン酸、パルミチン酸、パルミトレイン酸、ステアリン酸、オレイン酸、エライジン酸、リノール酸、リノレン酸、リシノール酸、エイコセン酸、ベヘン酸、エルカ酸等が挙げられる。これらの中でも、オクチル酸、カプリン酸、ラウリン酸、ミリスチン酸、パルミチン酸、パルミトレイン酸、ステアリン酸、オレイン酸、エライジン酸、リノール酸、リノレン酸、リシノール酸が好ましく、オクチル酸、カプリン酸、ラウリン酸、ミリスチン酸、パルミチン酸、パルミトレイン酸、ステアリン酸、オレイン酸、エライジン酸、リノール酸、リノレン酸がさらに好ましい。
【００３９】
エステル化合物（Ｂ１）、エステル化合物（Ｂ３）を構成する分岐脂肪酸は、炭素骨格に分岐構造を有する脂肪族モノカルボン酸をいう。分岐脂肪酸には、ヒドロキシ脂肪酸も含まれてもいいが、ヒドロキシ脂肪酸が含まれると該処理剤の平滑剤としての役割が不足することから、ヒドロキシ脂肪酸は含まれないことが好ましい。分岐脂肪酸は、飽和、不飽和のいずれであってもよい。また、分岐脂肪酸は、１種で構成されていてもよく、２種以上で構成されていてもよい。
【００４０】
分岐脂肪酸の炭素数は、８〜２０であり、１０〜２０が好ましく、１２〜１８がさらに好ましい。該炭素数が８未満の場合、油膜が弱くなり毛羽が発生する場合がある。一方、該炭素数が２０超の場合、摩擦が高く、平滑性が劣り毛羽が発生する場合がある。
【００４１】
炭素数８〜２２の分岐脂肪酸としては、例えば、イソオクチル酸、イソノナン酸、イソデシル酸、イソトリデシル酸、イソパルミチン酸、イソステアリン酸等が挙げられる。これらの中でも、イソノナン酸、イソデシル酸、イソトリデシル酸、イソパルミチン酸、イソステアリン酸が好ましく、イソノナン酸、イソトリデシル酸、イソパルミチン酸、イソステアリン酸がさらに好ましい。
【００４２】
分岐エステル化合物（Ｂ）の重量平均分子量は、２００〜１５００が好ましく、２００〜１２００がより好ましく、３００〜１２００がさらに好ましい。該重量平均分子量が２００未満の場合、油膜が弱くなり毛羽が発生する場合がある。一方、該重量平均分子量が１５００超の場合、摩擦が高く、平滑性が劣り毛羽が発生する場合がある。
【００４３】
分岐エステル化合物（Ｂ）としては、例えば、イソプロピルパルミテート、イソオクチルラウレート、イソオクチルパルミテート、イソオクチルステアレート、イソトリデシルオレエート、イソトリデシルステアレート、イソＣ２４オレエート、トリメチロールプロパントリオクタネート、トリメチロールプロパントリデカネート、トリメチロールプロパントリラウレート、トリメチロールプロパントリパーム核脂肪酸エステル、グリセリントリイソステアレート、ペンタエリスリトールオクタネート、ペンタエリスリトールデカネート、ペンタエリスリトールラウレート、トリメチロールプロパントリイソステアレート等が挙げられる。これらの中でも、イソオクチルラウレート、イソオクチルパルミテート、イソオクチルステアレート、イソトリデシルオレエート、イソトリデシルステアレート、イソＣ２４オレエート、トリメチロールプロパントリデカネート、トリメチロールプロパントリラウレート、トリメチロールプロパントリパーム核脂肪酸エステル、グリセリントリイソステアレート、ペンタエリスリトールオクタネート、ペンタエリスリトールデカネート、ペンタエリスリトールラウレート、トリメチロールプロパントリイソステアレートが好ましく、イソオクチルラウレート、イソオクチルパルミテート、イソオクチルステアレート、イソトリデシルステアレート、トリメチロールプロパントリデカネート、トリメチロールプロパントリラウレート、グリセリントリイソステアレート、トリメチロールプロパントリイソステアレート、トリメチロールプロパントリパーム核脂肪酸エステル、がさらに好ましい。
【００４４】
分岐エステル化合物（Ｂ）の製造方法としては、特に限定はなく、公知の手法を採用できる。例えば、トリメチロールプロパントリパーム核脂肪酸エステルを合成する場合、トリメチロールプロパンとパーム核脂肪酸をモル比１：２．９で混合し、反応触媒としてパラトルエンスルホン酸を用い、窒素気流下２１０℃に昇温し、１時間反応させた。続けて、２５０℃に昇温後８時間反応させた。反応後のエステルより反応触媒、未反応脂肪酸を除去して得ることができる。
【００４５】
[ノニオン界面活性剤]
本発明の処理剤は、さらにノニオン界面活性剤を含有することが好ましい。ノニオン界面活性剤を用いることにより、水系付与するための乳化性を与えることができる。また、油膜強度の向上、集束性の向上を図ることでき、高い製糸性が得られる。ノニオン界面活性剤は、１種又は２種以上を使用してもよい。
【００４６】
処理剤の油膜強度を向上させ、高い製糸性を得ることができる点から、ノニオン界面活性剤としては、ポリオキシアルキレン基含有ヒドロキシ脂肪酸多価アルコールエステル及びポリオキシアルキレン基含有ヒドロキシ脂肪酸多価アルコールエステルの少なくとも一つの水酸基を脂肪酸で封鎖したエステルから選ばれる少なくとも１種のノニオン界面活性剤（１）を含むことが好ましい。
【００４７】
ノニオン界面活性剤全体に占めるノニオン界面活性剤（１）の重量割合は、５〜９５重量％が好ましく、８〜９３重量％がより好ましく、１０〜９１重量％がさらに好ましい。該重量割合が５重量％未満の場合、処理剤の油膜強度が低下し毛羽が増加したり、本処理剤をエマルションで使用する場合の安定性が不足したりすることがある。一方、該重量割合が９５重量％超の場合、処理剤の平滑性が不足し、毛羽が増加することがある。
【００４８】
ノニオン界面活性剤（１）の一つであるポリオキシアルキレン基含有ヒドロキシ脂肪酸多価アルコールエステル（以下、ポリヒドロキシエステルということがある）は、構造上、ポリオキシアルキレン基含有ヒドロキシ脂肪酸と多価アルコールとのエステルであり、多価アルコールの水酸基のうち、２個以上の水酸基がエステル化されている。したがって、ポリオキシアルキレン基含有ヒドロキシ脂肪酸多価アルコールエステルは、複数の水酸基を有するエステルである。
【００４９】
ポリオキシアルキレン基含有ヒドロキシ脂肪酸は、脂肪酸の炭化水素基に酸素原子を介してポリオキシアルキレン基が結合した構造を有し、ポリオキシアルキレン基の脂肪酸の炭化水素基と結合していない片末端が水酸基となっている。
ポリヒドロキシエステルとしては、例えば、炭素数６〜２２（好ましくは１６〜２０）のヒドロキシ脂肪酸と多価アルコールとのエステル化物のアルキレンオキシド付加物を挙げることができる。
【００５０】
炭素数６〜２２のヒドロキシ脂肪酸としては、例えば、ヒドロキシカプリル酸、ヒドロキシカプリン酸、ヒドロキシラウリン酸、ヒドロキシステアリン酸、リシノール酸挙げられ、ヒドロキシオクタデカン酸、リシノール酸が好ましい。多価アルコールとしては、例えば、エチレングリコール、グリセリン、ソルビトール、ソルビタン、トリメチロールプロパン、ペンタエリスリトール等が挙げられ、グリセリンが好ましい。アルキレンオキシドとしては、エチレンオキシド、プロピレンオキシド、ブチレンオキシド等の炭素数２〜４のアルキレンオキシドが挙げられる。
【００５１】
アルキレンオキシドの付加モル数は、３〜６０が好ましく、８〜５０がさらに好ましい。アルキレンオキシドに占めるエチレンオキシドの割合は５０モル％以上が好ましく、８０モル％以上がさらに好ましい。
２種類以上のアルキレンオキシドを付加する場合、それらの付加順序は特に限定されるものでなく、付加形態はブロック状、ランダム状のいずれでもよい。アルキレンオキシドの付加は公知の方法により行うことができるが、塩基性触媒の存在下にて行うことが一般的である。
【００５２】
ポリヒドロキシエステルは、例えば、多価アルコールとヒドロキシ脂肪酸（ヒドロキシモノカルボン酸）を通常の条件でエステル化してエステル化物を得て、次いでこのエステル化物にアルキレンオキシドを付加反応させることによって製造できる。ポリヒドロキシエステルは、ひまし油などの天然から得られる油脂やこれに水素を添加した硬化ひまし油を用い、さらにアルキレンオキシドを付加反応させることによっても、好適に製造できる。
【００５３】
ノニオン界面活性剤（１）には、上述のポリヒドロキシエステルの少なくとも１つの水酸基を脂肪酸で封鎖したエステルも含まれる。封鎖する脂肪酸の炭素数は６〜２４が好ましく、１２〜１８がさらに好ましい。脂肪酸中の炭化水素基の炭素数は分布があってもよく、炭化水素基は直鎖状であっても分岐を有していてもよく、飽和であっても不飽和であってもよく、多環構造を有していてもよい。このような脂肪酸としては、例えば、ラウリン酸、ミリスチン酸、パルミチン酸、パルミトレイン酸、ステアリン酸、オレイン酸、エイコサン酸、ベヘン酸、リグノセリン酸等が挙げられる。エステル化の方法、反応条件等については特に限定はなく、公知の方法、通常の条件を採用できる。
【００５４】
ノニオン界面活性剤（１）としては、例えば、硬化ヒマシ油エチレンオキシド付加物、ヒマシ油エチレンオキシド付加物、硬化ヒマシ油エチレンオキシド付加物モノオレエート、硬化ヒマシ油エチレンオキシド付加物ジオレエート、硬化ヒマシ油エチレンオキシド付加物トリオレエート、ヒマシ油エチレンオキシド付加物トリオレエート、硬化ヒマシ油エチレンオキシド付加物トリステアレート、ヒマシ油エチレンオキシド付加物トリステアレート、これらのなかでも処理剤の相溶性、油膜強度、毛羽減少の点から、硬化ヒマシ油エチレンオキシド付加物、硬化ヒマシ油エチレンオキシド付加物トリオレエート、硬化ヒマシ油エチレンオキシド付加物トリステアレートが好ましい。
【００５５】
ノニオン界面活性剤（１）以外のノニオン界面活性剤としては、ポリオキシアルキレン多価アルコールエーテル（２）、ポリオキシアルキレン多価アルコール脂肪酸エステル（３）、ポリオキシアルキレン脂肪族アルコールエーテル（４）、ポリアルキレングリコールの脂肪酸エステル（５）、多価アルコール脂肪酸エステル（６）等が挙げられる。
【００５６】
ポリオキシアルキレン多価アルコールエーテル（２）とは、多価アルコールに対して、エチレンオキシド、プロピレンオキシド、ブチレンオキシドなどのアルキレンオキシドが付加した構造を持つ化合物である。
【００５７】
多価アルコールとしては、エチレングリコール、グリセリン、トリメチロールプロパン、ペンタエリスリトール、ジグリセリン、ソルビタン、ソルビトール、ジトリメチロールプロパン、ジペンタエリスリトール、ショ糖等が挙げられる。これらのなかでもグリセリン、トリメチロールプロパン、ショ糖、が好ましい。
【００５８】
アルキレンオキシドの付加モル数としては、３〜１００が好ましく、４〜７０がより好ましく、５〜５０がさらに好ましい。また、アルキレンオキシドに占めるエチレンオキシドの割合は、５０モル％以上が好ましく、８０モル％以上がさらに好ましい。ポリオキシアルキレン多価アルコールエーテルの重量平均分子量は、３００〜１００００が好ましく、４００〜８０００がより好ましく、５００〜５０００がさらに好ましい。
【００５９】
ポリオキシアルキレン多価アルコールエーテル（２）としては、ポリエチレングリコール、グリセリンエチレンオキシド付加物、トリメチロールプロパンエチレンオキシド付加物、ペンタエリスリトールエチレンオキシド付加物、ジグリセリンエチレンオキシド付加物、ソルビタンエチレンオキシド付加物、ソルビタンエチレンオキシドプロピレンオキシド付加物、ソルビトールエチレンオキシド付加物、ソルビトールエチレンオキシドプロピレンオキシド付加物、ジトリメチロールプロパンエチレンオキシド付加物、ジペンタエリスリトールエチレンオキシド付加物、ショ糖エチレンオキシド付加物等が挙げられるが、これに限定されるものではない。
【００６０】
ポリオキシアルキレン多価アルコール脂肪酸エステル（３）は、多価アルコールに対して、エチレンオキシド、プロピレンオキシド、ブチレンオキシドなどのアルキレンオキシドが付加した化合物と、脂肪酸とがエステル結合した構造を持つ化合物である。
【００６１】
多価アルコールとしては、グリセリン、トリメチロールプロパン、ペンタエリスリトール、エリスリトール、ジグリセリン、ソルビタン、ソルビトール、ジトリメチロールプロパン、ジペンタエリスリトール、ショ糖等が挙げられる。これらのなかでも、ポリエチレングリコール、グリセリン、ジグリセリン、ソルビタン、ソルビトールが好ましい。
【００６２】
脂肪酸としては、ラウリン酸、ミリスチン酸、ミリストレイン酸、パルミチン酸、パルミトレイン酸、イソセチル酸、ステアリン酸、イソステアリン酸、オレイン酸、エライジン酸、リノール酸、リノレン酸、アラキジン酸、エイコセン酸、ベヘン酸、イソドコサン酸、エルカ酸、リグノセリン酸、イソテトラドコサン酸等が挙げられる。
【００６３】
アルキレンオキシドの付加モル数としては、３〜１００が好ましく、５〜７０がより好ましく、１０〜５０がさらに好ましい。また、アルキレンオキシドに占めるエチレンオキシドの割合は、５０モル％以上が好ましく、８０モル％以上がさらに好ましい。
【００６４】
ポリオキシアルキレン多価アルコール脂肪酸エステル（３）の重量平均分子量は、３００〜７０００が好ましく、５００〜５０００がより好ましく、７００〜３０００がさらに好ましい。
【００６５】
ポリオキシアルキレン多価アルコール脂肪酸エステル（３）としては、グリセリンエチレンオキシド付加物モノラウレート、グリセリンエチレンオキシド付加物ジラウレート、グリセリンエチレンオキシド付加物トリラウレート、トリメチロールプロパンエチレンオキシド付加物トリラウレート、ソルビタンエチレンオキシド付加物モノオレエート、ソルビタンエチレンオキシド付加物ジオレエート、ソルビタンエチレンオキシド付加物トリオレエート、ソルビタンエチレンオキシドプロピレンオキシド付加物モノオレエート、ソルビタンエチレンオキシドプロピレンオキシド付加物ジオレエート、ソルビタンエチレンオキシドプロピレンオキシド付加物トリオレエート、ソルビタンエチレンオキシドプロピレンオキシド付加物トリラウレート、ショ糖エチレンオキシド付加物トリラウレート等が挙げられるが、これに限定されるものではない。
【００６６】
ポリオキシアルキレン脂肪族アルコールエーテル（４）とは、脂肪族一価アルコールに対し、エチレンオキシド、プロピレンオキシド、ブチレンオキシドなどのアルキレンオキシドを付加した構造を持つ化合物である。
【００６７】
ポリオキシアルキレン脂肪族アルコールエーテル（４）としては、例えば、オクチルアルコール、２−エチルヘキシルアルコール、デシルアルコール、ラウリルアルコール、トリデシルアルコール、ミリスチルアルコール、ステアリルアルコール、イソステアリルアルコール、オレイルアルコールなどの脂肪族アルコールのアルキレンオキシド付加物が挙げられる。
【００６８】
アルキレンオキシドの付加モル数としては、１〜１００モルが好ましく、２〜７０モルがより好ましく、３〜５０モルがさらに好ましい。また、アルキレンオキシド全体に対するエチレンンオキシドの割合は、２０モル％以上が好ましく、３０モル％以上がより好ましく、４０モル％以上がさらに好ましい。
【００６９】
ポリアルキレングリコールの脂肪酸エステル（５）とはポリオキシエチレングリコール、ポリオキシエチレンポリオキシプロピレングリコールと、脂肪酸とがエステル結合した構造を持つ化合物である。ポリアルキレングリコールの重量平均分子量は、１００〜１０００が好ましく、１５０〜８００がより好ましく、２００〜７００がさらに好ましい。
【００７０】
ポリアルキレングリコール脂肪酸エステル（５）としては、ポリエチレングリコールモノラウレート、ポリエチレングリコールジラウレート、ポリエチレングリコールモノオレエート、ポリエチレングリコールジオレエート、ポリエチレングリコールモノステアレート、ポリエチレングリコールジステアレート、ポリエチレンポリプロピレングリコールモノラウレート、ポリエチレンポリプロピレングリコールジラウレート、ポリエチレンポリプロピレングリコールモノオレエート、ポリエチレンポリプロピレングリコールジオレエート等が挙げられるが、これに限定されるものではない。
【００７１】
多価アルコール脂肪酸エステル（６）は、多価アルコールと脂肪酸がエステル結合した構造を持ち、かつ少なくとも１つ又は２つ以上の水酸基を有し、さらに上記のグリセリンエステル化合物（Ａ）を除く化合物である。
【００７２】
多価アルコールとしては、エチレングリコール、トリメチロールプロパン、ペンタエリスリトール、エリスリトール、ジエチレングリコール、ジグリセリン、ソルビタン、ソルビトール、ジトリメチロールプロパン、ショ糖等が挙げられる。これらのなかでも、エチレングリコール、グリセリン、ジグリセリン、ソルビタン、ソルビトールが好ましい。
【００７３】
脂肪酸としては、ラウリン酸、ミリスチン酸、ミリストレイン酸、パルミチン酸、パルミトレイン酸、イソセチル酸ステアリン酸、イソステアリン酸、オレイン酸、エライジン酸、リノール酸、リノレン酸、ツベルクロステアリン酸、イソイコサン酸、ガドレイン酸、エイコセン酸、ベヘン酸、イソドコサン酸、エルカ酸、リグノセリン酸等が挙げられる。
【００７４】
多価アルコール脂肪酸エステル（６）の重量平均分子量は、１００〜１０００が好ましく、２００〜８００がより好ましく、３００〜６００がさらに好ましい。
【００７５】
多価アルコール脂肪酸エステル（６）としては、グリセリンモノラウレート、グリセリンジラウレート、グリセリンモノオレエート、グリセリンジオレエート、ソルビタンモノオレエート、ソルビタンジオレエート、ショ糖モノラウレート、ショ糖ジラウレート等が挙げられるが、これに限定されるものではない。
【００７６】
[合成繊維用処理剤]
本発明の合成繊維用処理剤は、上記のグリセリンエステル化合物（Ａ）と分岐エステル化合物（Ｂ）とを含有し、グリセリンエステル化合物（Ａ）と分岐エステル化合物（Ｂ）との重量比が（Ａ／Ｂ）が７５／２５〜１５／８５である。該重量比は７０／３０〜１７／８３が好ましく、６５／３５〜２０／８０がさらに好ましい。該重量比が７５／２５超の場合、分岐エステル化合物（Ｂ）の比率が少なく、融点の改善が出来ず本発明の効果は得られず、良好なハンドリング性は得られない。一方、該重量比が１５／８５未満の場合も、良好なハンドリング性は得られない。
【００７７】
処理剤の不揮発分に占めるグリセリンエステル化合物（Ａ）と前記分岐エステル化合物（Ｂ）の合計の重量割合は、３０〜８０重量％が好ましく、３５〜８０重量％がより好ましく、４０〜８０重量％がさらに好ましい。該重量割合が３０重量％未満の場合、処理剤の平滑性が不足し毛羽が増加する場合がある。一方、該重量割合が８０重量％超の場合、ノニオン活性剤の使用量が少なくなり油膜強度や集束性が低下し毛羽が増加する場合がある。なお、本発明における不揮発分とは、処理剤を１０５℃で熱処理等して溶媒等を除去し、恒量に達した時の絶乾成分をいう。
【００７８】
処理剤がノニオン界面活性剤を含有する場合、処理剤に占めるノニオン界面活性剤の重量割合は、１５〜６５重量％が好ましく、２０〜６３重量％がより好ましく、２５〜６０重量％がさらに好ましい。該重量割合が１５重量％未満の場合、処理剤の油膜強度が低下し、毛羽が増加したりすることがある。一方、該重量割合が６５重量％超の場合、エステル成分の使用量が減少して平滑性が不足し、毛羽が増加することがある。
【００７９】
（その他成分）
本発明の合成繊維用処理剤は、処理剤のエマルション化、繊維への付着性補助、繊維からの処理剤の水洗、繊維への制電性、潤滑性、集束性の付与等のために、上記のノニオン界面活性剤以外の界面活性剤を含有してもよい。このような界面活性剤としては、アルキルホスフェートの金属塩又はアミン塩、ポリオキシエチレンアルキルホスフェートの金属塩又はアミン塩、アルカンスルホン酸塩、脂肪酸石鹸等のアニオン性界面活性剤；アルキルアミン塩、アルキルイミダゾリニウム塩、第４級アンモニウム塩等のカチオン性界面活性剤；ラウリルジメチルベタイン、ステアリルジメチルベタイン等の両性界面活性剤等が挙げられる。これら界面活性剤は、１種又は２種以上で併用してもよい。これら界面活性剤を含有する場合の処理剤の不揮発分に占める界面活性剤の重量割合は、特に限定はないが、０．０１〜１５重量％が好ましく、０．１〜１０重量％がより好ましい。なお、ここでいう界面活性剤は、重量平均分子量が１０００未満のものをいう。
【００８０】
また、本発明の合成繊維用処理剤は、上記のグリセリンエステル化合物（Ａ）と分岐エステル化合物（Ｂ）以外の平滑剤として、鉱物油を含有してもよい。ここでいう鉱物油は処理剤を希釈するために用いる低粘度希釈剤ではなく、不揮発分に含まれる。不揮発分に占める鉱物油の重量割合は、０．１〜３０重量％が好ましく、１〜２０重量％が好ましい。
鉱物油としては、特に限定はないが、マシン油、スピンドル油、流動パラフィン等を挙げることができる。鉱物油は、１種又は２種以上を使用してもよい。鉱物油の３０℃における粘度は、１００〜５００秒が好ましい。
【００８１】
また、本発明の合成繊維用処理剤は、耐熱性を付与するため、さらに酸化防止剤や変成シリコーンを含有してもよい。酸化防止剤としては、フェノール系、チオ系、ホスファイト系等の公知のものが挙げられる。酸化防止剤は１種または２種以上を使用してもよい。酸化防止剤を含有する場合の処理剤の不揮発分に占める酸化防止剤の重量割合は、特に限定はないが、０．１〜５重量％が好ましく、０．１〜３重量％が好ましい。
【００８２】
また、本発明の合成繊維用処理剤は、更に原液安定剤（例えば、水、エチレングリコール、プロピレングリコール）を含有してもよい。原液安定剤を含有する場合の処理剤に占める原液安定剤の重量割合は、０．１〜３０重量％が好ましく、１〜２０重量％がさらに好ましい。
【００８３】
また、本発明の合成繊維用処理剤は、本発明の効果を阻害しない範囲で、チオジプロピオン酸と脂肪族アルコールとのジエステル化合物を含有してもよい。
チオジプロピオン酸と脂肪族アルコールとのジエステル化合物は、抗酸化能を有する成分である。該ジエステル化合物を使用することで、処理剤の耐熱性を高めることができる。１種または２種以上を使用してもよい。該ジエステル化合物を構成するチオジプロピオン酸の分子量は、４００〜１０００が好ましく、５００〜９００がより好ましく、６００〜８００がさらに好ましい。該ジエステル化合物を構成する脂肪族アルコールは、飽和であっても不飽和であってもよい。脂肪族アルコールの炭素数は８〜２４が好ましく、１２〜２４がより好ましく、１６〜２４がさらに好ましい。脂肪族アルコールとしては、例えば、オクチルアルコール、２−エチルヘキシルアルコール、デシルアルコール、ラウリルアルコール、ミリスチルアルコール、イソセチルアルコール、オレイルアルコールおよびイソステアリルアルコールなどが挙げられ、これらの中でもオレイルアルコール、イソセチルアルコール、イソステアリルアルコールが好ましい。
【００８４】
本発明の合成繊維用処理剤は、不揮発分のみからなる前述の成分で構成されていてもよく、不揮発分と原液安定剤とから構成されてもよく、不揮発分を低粘度鉱物油で希釈したものでもよく、水中に不揮発分を乳化した水系エマルジョンであってもよい。本発明の合成繊維用処理剤が水中に不揮発分を乳化した水系エマルジョンの場合、不揮発分の濃度は５〜３５重量％が好ましく、６〜３０重量％がより好ましい。不揮発分を低粘度鉱物油で希釈した処理剤の粘度（３０℃）は、繊維材料に均一に付与させる点から、３〜１２０ｍｍ２／ｓが好ましく、５〜１００ｍｍ２／ｓがさらに好ましい。
【００８５】
本発明の合成繊維用処理剤の製造方法については、特に限定はなく、公知の方法を採用することができる。合成繊維用処理剤は、構成する前記の各成分を任意又は特定の順番で添加混合することによって製造される。
【００８６】
［合成繊維フィラメント糸条の製造方法及び繊維構造物］
本発明の合成繊維フィラメント糸条の製造方法は、原料合成繊維フィラメント糸条に、本発明の合成繊維用処理剤を付与する工程を含むものである。発明の製造方法によれば、スカムや糸切れの発生を低減することができ、糸品位に優れた合成繊維フィラメント糸条得ることができる。なお、本発明における原料合成繊維フィラメント糸条とは、処理剤が付与されていない合成繊維フィラメント糸条をいう。
【００８７】
合成繊維用処理剤を付与する工程としては、特に限定はなく、公知の方法を採用することできる。通常、原料合成繊維フィラメント糸条の紡糸工程で合成繊維用処理剤を付与する。処理剤が付与された後、熱ローラーにより延伸、熱セットが行われ、巻き取られる。このように、処理剤を付与した後、一旦巻き取れられることなく熱延伸する工程を有する場合に、本発明の合成繊維用処理剤は好適に使用することができる。熱延伸する際の温度として一例をあげると、ポリエステル、ナイロンでは、産業資材用であれば２１０〜２６０℃、衣料用であれば１１０〜１８０℃が想定される。
【００８８】
原料合成繊維フィラメント糸条に付与する際の合成繊維処理剤は、前述したように、不揮発分のみからなる処理剤、不揮発分を低粘度鉱物油で希釈した処理剤、又は水中に不揮発分を乳化した水系エマルジョン処理剤等が挙げられる。付与方法としては、特に限定されるものではないが、ガイド給油、ローラー給油、ディップ給油、スプレー給油等が挙げられる。これらの中ででも、付与量の管理のしやすさから、ガイド給油、ローラー給油が好ましい。
【００８９】
合成繊維用処理剤の不揮発分の付与量は、原料合成繊維フィラメント糸条に対して、０．０５〜５重量％が好ましく、０．１〜３重量％がより好ましく、０．１〜２重量％がさらに好ましい。０．０５重量％未満の場合、本発明の効果を発揮することができない場合がある。一方、５重量％超の場合、処理剤の不揮発分が糸道に脱落しやすく、熱ローラー上のタールが著しく増加し、毛羽、断糸に繋がる場合がある。
【００９０】
合成繊維フィラメント糸条としては、ポリエステル繊維、ポリアミド繊維、ポリオレフィン繊維等の合成繊維のフィラメント糸条が挙げられる。本発明の合成繊維用処理剤は、ポリエステル繊維、ポリアミド繊維、ポリオレフィン繊維等の合成繊維に適している。ポリエステル繊維としては、エチレンテレフタレートを主たる構成単位とするポリエステル（ＰＥＴ）、トリメチレンエチレンテレフタレートを主たる構成単位とするポリエステル（ＰＴＴ）、ブチレンエチレンテレフタレートを主たる構成単位とするポリエステル（ＰＢＴ）、乳酸を主たる構成単位とするポリエステル（ＰＬＡ）等が挙げられ、ポリアミド繊維としては、ナイロン６、ナイロン６６等が挙げられ、ポリオレフィン繊維としては、ポリプロピレン、ポリエチレン等が挙げられる。合成繊維フィラメント糸条の製造方法としては、特に限定はなく、公知の手法を採用できる。
【００９１】
本発明の繊維構造物は、上記の本発明の製造方法で得られた合成繊維フィラメント糸条を含むものである。具体的には、本発明の合成繊維用処理剤が付与された合成繊維フィラメント糸条を用いてウォータージェット織機、エアジェット織機、または、レピア織機で織られた織物、および丸編み機、経編み機、または、緯編み機で編まれた編物である。また繊維構造物の用途としては、タイヤコード、シートベルト、エアバッグ、魚網、ロープ等の産業資材、衣料用等が挙げられる。織物、編物を製造する方法としては、特に限定はなく、公知の手法を採用できる。
【実施例】
【００９２】
以下に、実施例により本発明を説明する、本発明はここに記載した実施例に限定されるものではない。なお、文中及び表中の「％」は「重量％」を、意味する。【００９３】
[実施例１〜８、比較例１〜８]
（実施例３、７、比較例２の処理剤）
表１に記載の成分を混合し、均一になるまで攪拌し、処理剤Iを調製した。調製した処理剤Iを炭素数１１〜１５の低粘度鉱物油で希釈して、不揮発分濃度が８０重量％である処理剤IIを調製した。
（実施例１、２、４〜６、８、比較例１、３〜８の処理剤）
表１に記載の成分を混合して、均一になるまで攪拌し、処理剤Iを調製した。調製した処理剤Iを攪拌下のイオン交換水に徐々に投入した。投入後、均一な状態になるまで６０分攪拌し、不揮発分濃度が１８重量％である処理剤II（Ｏ／Ｗ型エマルション状態）を調製した。【００９４】
上記で調製した各処理剤Iを用いて、下記の方法で凝固性及び溶解性を評価した。また、上記で調製した各処理剤IIを用いて、下記の方法で走行安定性を評価した。その結果を表１に示す。
なお、表１の処理剤成分の数字は、処理剤の不揮発分の重量部を示す。また、表１の処理剤成分の詳細は、以下に示す。【００９５】
（凝固性）
５０℃まで加温し、撹拌均一化させた処理剤Iを容量１８０ｍＬのふた付きガラス瓶中に１００ｍＬ入れ、容器を密閉し、所定温度（５℃）に設定したエスペック株式会社製環境試験機（ＰＬ−３ＫＰ）に処理剤Iを封入したガラス瓶を７２時間静置した。その後処理剤Iの外観を目視判定し、以下の基準により凝固性を評価した。ここで言う流動性とは処理剤Iを入れた容器を横に傾け、処理剤Iが流れた場合、流動性ありと判断した。
◎：凝固しておらず、流動性がある。
○：外観に曇り、濁りがあり、一部固化している。
△：外観に曇り、濁りがあり、大半が固化している。
×：完全に固化しており、流動性がない。【００９６】
（溶解性）
凝固性評価で用いた処理剤Iの入ったガラス瓶を、所定温度（２０℃）に設定したエスペック株式会社製環境試験機（ＰＬ−３ＫＰ）に２時間静置した。その後の処理剤Iの外観を目視判定し、以下の基準により溶解性を評価した。
○：凝固しておらず、流動性がある。
△：外観に曇り、濁りがあり、一部固化している。
×：完全に固化しており、流動性がない。【００９７】
（走行安定性）
７５ｄ／３６ｆポリエステル繊維に処理剤IIを不揮発分として１．５重量％となるように付与し、１０５℃の環境下で２時間の乾燥を行った。乾燥した原糸を所定温度（５℃）に設定したエスペック株式会社製環境試験機（ＰＬ−３ＫＰ）に７２時間静置した。その後、温度２０℃、湿度５０％ＲＨに設定した恒温室に１時間静置した後、同室内に設置した走糸法摩擦試験機（東レエンジニアリング製）を用い、２００ｍ／ｍｉｎで回転するセパレートローラー付きの第１ローラーに５周巻きつけた後に、２０１ｍ／ｍｉｎで回転するセパレートローラー付きの第２ローラーに５周巻きつけた後にサクションガンにより吸引した。３０分間走行させた時のローラー出口の糸揺れ回数を目視で測定し、以下の条件で走行安定性を評価した。
○：糸揺れ回数  ０回
△：糸揺れ回数  １〜５回
×：糸揺れ回数  ５回以上【００９８】
[グリセリンエステル化合物]
Ａ−１：パームハイオレイン（グリセリンとＣ１２−１８の直鎖脂肪酸とのエステル、直鎖脂肪酸全体に占めるＣ１６−Ｃ１８の直鎖脂肪酸の割合９９重量％、直鎖脂肪酸全体に占めるリノレン酸の割合０．４重量％、ヨウ素価６７、水酸基価５．５、融点１．２℃、重量平均分子量  ８６０）
Ａ−２：パームオレイン（グリセリンとＣ１２−１８の直鎖脂肪酸とのエステル、直鎖脂肪酸全体に占めるＣ１６−Ｃ１８の直鎖脂肪酸の割合９９重量％、直鎖脂肪酸全体に占めるリノレン酸の割合０．３重量％、ヨウ素価６３、水酸基価５．２、融点２．２℃、重量平均分子量  ８６０）
ａ−１：椰子油（グリセリンとＣ８−１８の直鎖脂肪酸とのエステル、直鎖脂肪酸全体に占めるＣ１６−Ｃ１８の直鎖脂肪酸の割合１２重量％、ヨウ素価７、水酸基価１０．５、融点２３．５℃、重量平均分子量７２０）
[分岐エステル化合物]
Ｂ−１：トリメチロールプロパントリパーム核脂肪酸（Ｃ１２−１８の直鎖脂肪酸）エステル
Ｂ−２：トリメチロールプロパントリイソステアリン酸エステル
Ｂ−３：トリメチロールプロパン脂肪酸（Ｃ８，Ｃ１０）エステル
Ｂ−４：ペンタエリスリトール脂肪酸（Ｃ８，Ｃ１０）エステル
Ｂ−５：２−エチルヘキシルアルコールステアリン酸エステル
Ｂ−６：イソトリデシルアルコールステアリン酸エステル【００９９】
[その他エステル化合物]
Ｄ−１：ラウリルオレエート
Ｄ−２：ノルマルブタノールステアリン酸エステル
[ノニオン界面活性剤]
Ｅ−１：硬化ひまし油１モルにＥＯ２０モル付加したノニオン界面活性剤
Ｅ−２：硬化ひまし油１モルにＥＯ２０モル付加したエーテル型ノニオン活性剤とオレイン酸３モルとのエステル化物
Ｅ−３：ポリエチレングリコール（分子量６００）とオレイン酸２モルとのエステル化物
Ｅ−４：ポリエチレングリコール（分子量２００）とオレイン酸２モルとのエステル化物
Ｅ−５：ラウリルアルコール１モルにＥＯ７モル付加したエーテル型ノニオン界面活性剤
[制電剤]
Ｆ−１：イソセチルホスフェートアミン塩
Ｆ−２：ラウリルスルフォネートＮａ塩
Ｆ−３：ジオクチルスルホサクシネートＮａ塩
Ｆ−４：オレイン酸Ｋ塩【０１００】
【表１】
2014156318.tif 000002
【０１０１】
表１からわかるように、実施例の処理剤は、凝固し難く溶解性に優れている。さらに、溶解性に優れる実施例の処理剤を用いた場合、糸揺れが少なく、走行安定性に優れていることがわかる。そのため、高品位な布帛を得ることができる。一方、比較例の処理剤は、溶解性が劣り、使用前に加温用が必要となり、ハンドリング性に劣る。さらに、溶解性が悪い比較例の処理剤を用いた場合、走行安定性が劣る。走行安定性が悪い処理剤は、後工程での糸揺れに繋がり、加工性に劣る。このように、溶解性と走行安定性に相関がある結果となった。【０１０２】
[実施例９〜２４、比較例９〜１５]
表２、３に記載の成分を混合し、均一になるまで攪拌し、処理剤Iを調製した。調製した各処理剤Iを用いて、上記と同じ方法で、凝固性、溶解性を評価した。なお、表２、３の処理剤成分の数字は、処理剤の不揮発分の重量部を示す。また、表２、３の処理剤成分の詳細は、上記に示す。【０１０３】
【表２】
2014156318.tif 000003
【０１０４】
【表３】
2014156318.tif 000004
【０１０５】
表２、３からわかるように、実施例の処理剤は凝固し難く、溶解性に優れる。一方、比較例の処理剤は溶解性が劣り、使用前に加温が必要となり、ハンドリング性に劣る。実施例１〜７・比較例１〜６の結果から、溶解性と走行安定性に相関があることが判明したので、溶解性に優れる実施例の処理剤を用いた場合、走行安定性に優れること、溶解性に劣る比較例の処理剤を用いた場合、走行安定性に劣ることが予測される。
【産業上の利用可能性】
【０１０６】
本発明の合成繊維処理剤は、ターポリン、タイヤコード、シートベルト、エアバッグ、魚網、ロープ等の産業資材、織物や編み物等の衣料用等に用いられる合成繊維フィラメント糸条に好適である。
【国際調査報告】
2014156318.tif 000005
2014156318.tif 000006
2014156318.tif 000007
2014156318.tif 000008